(57)【特許請求の範囲】
【請求項１】
前面が開口した本体キャビネットと、当該本体キャビネットの前面開口を開閉する外扉と、オプションユニットを追加装備するために前記外扉の前面に開口して形成された予備開口部と、前記予備開口部に装着された目隠し部材とを備えた自動販売機において、前記目隠し部材およびオプションユニットに共通であって、前記目隠し部材およびオプションユニットを択一的に組み付けて予備開口部に装着可能な取付金具を備え、前記取付金具は前記オプションユニットを組み付けた際、前記予備開口部から離隔した位置に前記目隠し部材を収納して保管する収納域を具備してなることを特徴とする自動販売機。
【請求項２】
請求項１に記載の自動販売機において、取付金具はオプションユニットの取付金具であり、オプションユニットの取付金具に目隠し部材を着脱自在に取付けてなることを特徴とする自動販売機。
【請求項３】
請求項１に記載の自動販売機において、オプションユニットおよび目隠し部材の取付金具への固着手段を共用してなることを特徴とする自動販売機。
【請求項４】
請求項１に記載の自動販売機において、目隠し部材は取付金具に回動自在に取付けてなることを特徴とする自動販売機。
【発明の詳細な説明】
【技術分野】
【０００１】
この発明は、庫内に飲料や食料などの商品を収容し、購入者が代金を投入して希望する商品を選択すると庫内に収容した商品を販売する自動販売機に係り、特に、外扉にオプションユニットを追加装備可能に開口された予備開口部を閉塞する目隠し板を備えた自動販売機に関する。
【背景技術】
【０００２】
この種の従来の自動販売機について図７を用いて説明する。図７は一般的な缶入り飲料，ペットボトル入り飲料を販売する自動販売機の正面図である。図に示すように、この自動販売機は、前面が開放した断熱筐体として形成された本体キャビネット１０と、本体キャビネット１０の前面にヒンジにより開閉可能に支持された外扉２０とからなる。断熱筐体として形成された本体キャビネット１０の庫内には商品を横倒し状態で収容するとともに下端部に商品搬出装置を有する商品ラックが収設されるとともに、前記商品ラックの下方には商品搬出装置により払い出された商品が滑動ないしは転動する前傾姿勢の商品搬出シュータが配設され、当該商品搬出シュータの下部であって各商品収納室の下端には、当該各商品収納室内を冷却もしくは加熱して商品ラックに収納した商品をコールド・ホット状態に保存する冷却／加熱ユニットが配設されている。
【０００３】
前記外扉２０の前面の上部域は透明板３０で覆われ、この透明板３０と、外扉２０に開閉可能に支持された中扉４０との間の空間がディスプレイ室５０として形成されている。前記中扉４０の前面には、本体キャビネット１０の庫内に収納した商品に対応した複数の商品見本７０を左右に一列に並べて載置したディスプレイ台６０が上下方向に３段並べて取付けられている。前記透明板３０には、各ディスプレイ台６０と対峙する位置に商品選択ボタンユニット８０が設けられ、商品選択ボタンユニット８０は、ディスプレイ台６０に載置された各商品見本７０に対応して左右に一列に並べて設けた商品選択ボタン８０ａを有している。また、外扉２の前面には、硬貨投入口２０１、紙幣挿入口２０２、返却レバー２０３、表示器２０４、硬貨返却口２０５、ポスター展示部２０６、商品取出口２０７、ハンドルロック２０８などが設けられている。
【０００４】
かかる構成において、本体キャビネット１０の庫内に収設された商品ラックに商品が補充された後、冷却／加熱ユニットの運転により商品ラックに収容された商品が販売適温に冷却若しくは加熱されると貨幣の受付を許容し、商品選択ボタンの操作に基づいて商品搬出装置が作動すると商品ラックの最下位に並ぶ商品から順に下方に払い出される。商品搬出装置により払い出された商品は商品搬出シュータ上に落下して当該商品搬出シュータ上を滑動ないしは転動して内扉（不図示）の商品搬出口におけるフラッパを押し開いて商品取出口２０７の受け箱に搬出されることは周知のとおりである。
【０００５】
ところで、電子マネーの普及に伴って自動販売機においても硬貨または紙幣などの現金による商品の販売に加えて電子マネーによる商品の販売を可能とすることが望まれている。前記電子マネーにより商品の販売を可能とするためにはＩＣカードや携帯電話からの情報を読取るアンテナ部を有するとともに自動販売機の制御装置との間で信号の授受を行う電子決済端末装置からなるユニット（以下、電子マネーと称する）を追加装備しなければならない一方、電子マネーを装備するとコストアップとなるため硬貨または紙幣などの現金のみによる商品の販売に対応した自動販売機の要求も依然としてある。したがって、現金対応のみの自動販売機を標準とするとともに電子マネーをオプションユニットとして用意し、顧客要求に応じて前記標準の自動販売機に電子マネーを追加装備するように構成されている。このため、標準の自動販売機には、図７および図８に示すように、外扉２０における紙幣挿入口２０２の近傍に予備開口部９０（図示の場合、２個の予備開口部が左右に並べて配設されている）を形成し、当該一方若しくは両方の予備開口部９０から電子マネーの読取端末装置が露出するように電子マネーを追加装備可能とされている。そして、標準機における予備開口部９０には目隠し部材９が装着されて出荷される（例えば、特許文献１の段落０００４、図１）。なお、図８の（ａ）において、２０９は、図７の硬貨投入口２０１および紙幣挿入口２０２に連通した硬貨識別装置および紙幣識別装置をカバーするカバー部材、２１０は図７のポスター展示部２０６の背面側に配置された電装部品を搭載したボックスからなる電装ボックス部である。また、図８の（ａ）には、２個の予備開口部９０のうちの一方に目隠し部材９を装着し、他方の予備開口部９０には参考のために目隠し部材９を装着していない状態を示している。
【０００６】
前記予備開口部９０に装着される目隠し部材９は、図８の（ｃ）に示すように、予備開口部９０の開口に一致する矩形形状の露出部９１と、この露出部９１の周縁に形成された鍔部９２とからなり、前記露出部９１の背面側が窪んだ縦断面凸状に形成されている。前記鍔部９２の左右両側縁には後方に向けて延在する上下一対のフック片９３・・・が形成されている。目隠し部材９よりも一回り大きな取付金具１００の板面には前記フック片９３・・・が係合する係合穴１００Ａ・・・が形成されるとともに上下両端部にはねじ挿通穴が形成されている。目隠し部材９はフック片９３・・・を取付金具１００の係合穴１００Ａ・・・に係合させてモジュール化される。そして、目隠し部材９の鍔部９２にシール部材１０１を載置した後、外扉２０の背面側から目隠し部材９の露出部９１を予備開口部９０に嵌め込んだうえで取付金具１００の上下両端部のねじ挿通穴を介して外扉２０の扉枠にねじ止めすることにより目隠し部材９が予備開口部９０に装着されている。
【先行技術文献】
【特許文献】
【０００７】
【特許文献１】特開２０１１−３４２９９号公報
【発明の開示】
【発明が解決しようとする課題】
【０００８】
ところで、標準の自動販売機に電子マネーを追加装備する際、予備開口部９０に装着された目隠し部材９を取付金具１００ごと取り外したうえで当該予備開口部９０に電子マネーが装着される。この場合、取付金具１００ごと取り外された目隠し部材９は自動販売機の外扉２０若しくは本体キャビネット１０の適当な空きスペースに収納して保管される。一方、追加装備される電子マネーは追加装備専用の取付金具を用いて取付けられる。前述したように、取付金具１００ごと取り外された目隠し部材９は適当な空きスペースに収納されることから紛失するおそれがあるという課題を有する。この場合、予め保管場所を定めておくことが考えられるが、薄型化が要求される自動販売機にオプションユニットが追加装備される際のみに活用される目隠し部材９の収納領域を確保するのは合理的ではない。また、目隠し部材９、および電子マネーにはそれぞれ専用の取付金具を必要とすることから部品点数が増加するとともにコストの上昇は免れないという課題を有する。
【０００９】
本発明は上記の点に鑑みなされたものであり、その目的は前記課題を解決し、目隠し部材若しくはオプションユニットの何れか一方を取付けることができ、かつ、予備開口部から取り外された目隠し部材を収納して保管可能な自動販売機を提供することにある。
【課題を解決するための手段】
【００１０】
上記目的を達成するために請求項１に係る発明は、前面が開口した本体キャビネットと、当該本体キャビネットの前面開口を開閉する外扉と、オプションユニットを追加装備するために前記外扉の前面に開口して形成された予備開口部と、前記予備開口部に装着された目隠し部材とを備えた自動販売機において、前記目隠し部材およびオプションユニットに共通であって、前記目隠し部材およびオプションユニットを択一的に組み付けて予備開口部に装着可能な取付金具を備え、前記取付金具は前記オプションユニットを組み付けた際、前記予備開口部から離隔した位置に前記目隠し部材を収納して保管する収納域を具備してなることを特徴とする。
【００１１】
また、請求項２に係る発明は請求項１に記載の自動販売機において、取付金具はオプションユニットの取付金具であり、オプションユニットの取付金具に目隠し部材を着脱自在に取付けてなることを特徴とする。
【００１２】
また、請求項３に係る発明は請求項１に記載の自動販売機において、オプションユニットおよび目隠し部材の取付金具への固着手段を共用してなることを特徴とする。
【００１３】
また、請求項４に係る発明は請求項１に記載の自動販売機において、目隠し部材は取付金具に回動自在に取付けてなることを特徴とする。
【発明の効果】
【００１４】
本発明の請求項１に係る自動販売機によれば、前面が開口した本体キャビネットと、当該本体キャビネットの前面開口を開閉する外扉と、オプションユニットを追加装備するために前記外扉の前面に開口して形成された予備開口部と、前記予備開口部に装着された目隠し部材とを備えた自動販売機において、前記目隠し部材およびオプションユニットに共通であって、前記目隠し部材およびオプションユニットを択一的に組み付けて予備開口部に装着可能な取付金具を備え、前記取付金具は前記オプションユニットを組み付けた際、前記予備開口部から離隔した位置に前記目隠し部材を収納して保管する収納域を具備してなることにより、目隠し部材およびオプションユニットを択一的に一つの取付金具に組み付けて予備開口部に装着することにより部品点数を削減してコストを抑えることができ、また、取り外した目隠し部材を取付金具の収納域に収納して保管することができるので目隠し部材が紛失するのを防止することができる。
【００１５】
また、本発明の請求項２に係る自動販売機によれば、請求項１に記載の自動販売機において、取付金具はオプションユニットの取付金具であり、オプションユニットの取付金具に目隠し部材を着脱自在に取付けてなることにより、オプションユニットに取付金具を同梱する必要がない。したがって、オプションユニットの梱包が嵩張ることがなく、また、取付金具の同梱ミスにより現地でオプションユニットの装着ができなくなることを未然に防止できる。
【００１６】
また、請求項３に係る自動販売機によれば、請求項１に記載の自動販売機において、オプションユニットおよび目隠し部材の取付金具への固着手段を共用してなることにより、目隠し部材およびオプションユニットにそれぞれ専用の固着手段を備える場合のように、固着手段を選別若しくは区別しておく必要がないのでオプションユニットの装着の際の手間を軽減できる。
【００１７】
また、請求項４に係る自動販売機によれば、請求項１に記載の自動販売機において、目隠し部材は取付金具に回動自在に取付けてなることにより、目隠し部材が取付金具の収納域から脱落するのを防止することができる。
【図面の簡単な説明】
【００１８】
【図１】本発明の実施の形態１に係る目隠し部材を装着した自動販売機を示し、（ａ）は外扉の背面要部斜視図、（ｂ）は取付金具に目隠し部材を組み付けた正面側斜視図、（ｃ）は（ｂ）の背面側斜視図、（ｄ）は（ｂ）の分解斜視図である。
【図２】本発明の実施の形態１に係るオプションユニット（電子マネー）を装着した自動販売機を示し、（ａ）は外扉の背面要部斜視図、（ｂ）は取付金具の収納域に目隠し部材を収納した正面側斜視図、（ｃ）は取付金具にオプションユニットを組み付けた正面側斜視図、（ｄ）は（ｃ）の背面側斜視図、（ｅ）は（ｃ）の分解斜視図である。
【図３】本発明の実施の形態１に係る変形例であるところの、図２とは異なるオプションユニット（電子マネー）を装着した自動販売機を示し、（ａ）は外扉の背面要部斜視図、（ｂ）は取付金具の収納域に目隠し部材を収納した正面側斜視図、（ｃ）は取付金具にオプションユニットを組み付けた正面側斜視図、（ｄ）は（ｃ）の背面側斜視図、（ｅ）は（ｃ）の分解斜視図である。
【図４】本発明の実施の形態２に係る取付金具を示し、（ａ）は取付金具に目隠し部材を組み付けた正面側斜視図、（ｂ）は（ａ）の背面側斜視図、（ｃ）は取付金具の収納域に目隠し部材を収納した正面側斜視図、（ｄ）は（ａ）の分解斜視図である。
【図５】本発明の実施の形態３に係る取付金具を示し、（ａ）は取付金具に目隠し部材を組み付けた正面側斜視図、（ｂ）は（ａ）の背面側斜視図、（ｃ）は（ａ）の分解斜視図、（ｄ）は取付金具の収納域に目隠し部材を収納した正面側斜視図、（ｅ）は取付金具の上部金具と下部金具とを分離した正面側斜視図である。
【図６】本発明の実施の形態４に係る取付金具を示し、（ａ）は取付金具に目隠し部材を組み付けた正面側斜視図、（ｂ）は（ａ）の背面側斜視図、（ｃ）は（ａ）の分解斜視図、（ｄ）は取付金具の収納域に目隠し部材を収納する途中の状態の正面側斜視図、（ｅ）は取付金具の収納域に目隠し部材を収納した正面側斜視図である。
【図７】従来の一般的な自動販売機の正面図である。
【図８】図７の予備開口部に装着された目隠し部材を示し、（ａ）は外扉の背面要部斜視図、（ｂ）は取付金具に組み付けた目隠し部材の正面側斜視図、（ｃ）は（ｂ）の分解斜視図である。
【発明を実施するための形態】
【００１９】
以下、本発明の実施の形態を図面に基づいて詳細に説明する。
（実施の形態１）
図１は本発明の実施の形態１に係る目隠し部材を装着した自動販売機を示し、図８に示したものと同一のものには同一の符号を付している。
【００２０】
図において、２０で再び外扉を示し、この外扉２０の前面には、図７に示した従来装置と同様に、カバー部材２０９に覆われた紙幣識別装置の紙幣挿入口２０２と横並びに２個の予備開口部９０，９０が開口されている。９は従来装置と同一の目隠し部材であり、この目隠し部材９は、予備開口部９０の開口に一致する矩形形状の露出部９１と、この露出部９１の周縁に形成された鍔部９２とからなり、前記露出部９１の背面が窪んだ縦断面凸状に形成されている。前記鍔部９２の左右両側縁には上下一対のフック片９３・・・が形成されている。なお、図では２個の予備開口部９０，９０のうちの一方の予備開口部９０に目隠し部材９を装着した状態を示し、他方の予備開口部９０には、参考のために目隠し部材９０を装着していない状態を示している。
【００２１】
前記目隠し部材９が装着される取付金具１は、上部金具１１、下部金具１２、連結金具１３からなる。上部金具１１は下方が開放した門形に形成されている。上部金具１１の左右の門柱部１１０は前方に向けて折り曲げられた門柱１１１と、この門柱１１１の下部に内方に向けて折り曲げられた受け座１１２とを有している。上部金具１１の梁部１１３は互いに対向する左右一対の台座面１１４から一段後方に段差を有するねじ座１１５と、このねじ座１１５から前方および下方に連続してそれぞれ直角に折り曲げて形成されたところの、台座面１１４に平行な扉枠固定座１１６を有している。前記台座面１１４の下縁には左右方向に２段のねじ挿通溝１１４ａ，１１４ｂが形成されている。前記ねじ座１１５にはねじ穴が適宜タップされ、前記扉枠固定座１１６には適宜ねじ穴がタップされるとともにねじ挿通穴が形成され、前記受け座１１２には適宜ねじ挿通穴が形成されている。
【００２２】
下部金具１２は上方が開放した薄い箱形の基板部１２１と基板部１２１から一段後方に段差を有して上方に延在する結合座１２４からなる。基板部１２１の板面における左右両側縁には、図１の（ｄ）に示すように、上下一対の係合穴１２１ａ・・・が形成され、基板部１２１の左右側壁１２２には前記係合穴１２１ａ・・・の近傍にそれぞれ係止穴１２２ａ・・・が形成されている。前記係合穴１２１ａ・・・と、係止孔１２２ａ・・・とは目隠し部材９のフック片９３・・・に対応して配設され、前記フック片９３・・・が係合穴１２１ａ・・・を貫通して係止孔１２２ａ・・・に係止可能なように形成されている。また、基板部１２１の底壁１２３（図１の（ｃ）参照）は上方に折り曲げられてねじ座１２３ａとして形成されている。下部金具１２の結合座１２４（図１の（ｄ）参照）には切り起しにより固定片１２４ａが形成されるとともに左右一対の係合穴１２４ｂ，１２４ｂが形成されている。前記下部金具１２の基板部１２１には適宜ねじ挿通穴が形成され、ねじ座１２３ａ，結合座１２４，固定片１２４ａには適宜ねじ穴がタップされている。
【００２３】
連結金具１３は、図１の（ｄ）に示すように、目隠し部材９の露出部９１よりも一回り小さい基板部１３１の周縁から一段後方に段差を有する上部鍔部１３２，下部鍔部１３３，左右鍔部１３４が形成されている。基板部１３１の板面における右端側には開口１３０が形成されるとともに４隅にねじ挿通穴１３１ａが形成されている。上部鍔部１３２，下部鍔部１３３には適宜ねじ穴がタップされるとともに下部鍔部１３３には下部金具１２の結合座１２４の係合穴１２４ｂ，１２４ｂに係合する爪１３３ａ，１３３ａが形成されている。また、左右鍔部１３４，１３４には目隠し部材９のフック片９３が係合する係合穴１３４ａ，１３４ａがそれぞれ形成されている。
【００２４】
かかる構成において、前記取付金具１は次のようにして組立てられる。先ず、上部金具１１に連結金具１３を組み付ける。この場合、連結金具１３の上部鍔部１３２を上部金具１１における扉枠固定座１１６に重ね合わせた状態で両者をねじＳ１により結合する。次いで、連結金具１３の下部鍔部１３３の爪１３３ａ，１３３ａに下部金具１２の結合座１２４に形成した係合穴１２４ｂ，１２４ｂを引っ掛けたうえで下部鍔部１３３と結合座１２４とをねじにＳ２より結合する。これにより取付金具１が組立てられ、この取付金具１に目隠し部材９が次のように組み付けられてモジュール化される。すなわち、目隠し部材９は、その露出部９１を連結金具１３の基板部１３１に被せる態様でフック片９３・・・を連結金具１３の左右鍔部１３４，１３４の係合穴１３４ａ，１３４ａに差し込んで係止させることにより連結金具１３に一体的に組み付ける。これにより図１の（ｂ）（ｃ）に示すように、目隠し部材９と取付金具１とが一体化されてモジュール化される。このように目隠し部材９を組み付けてモジュール化された取付金具１は外扉２０の背面側から目隠し部材９の露出部９１を予備開口部９０に嵌め込んだうえで上部金具１１の扉枠固定座１１６および下部金具１２の結合座１２４に形成したねじ挿通穴を介して外扉２０の扉枠に固着した固定金具２０Ａ（図１の（ａ）参照）に螺合するねじＳ３，Ｓ４，Ｓ５により装着される。
【００２５】
さて、外扉２０の予備開口部９０に追加装備されるオプションユニットとしての電子マネーを図２に示す。図２において、２は電子マネーであり、この実施の形態ではＩＣカードや携帯電話がかざされることにより当該ＩＣカードや携帯電話との間で信号の授受を行うアンテナ部２１と、このアンテナ部２１によるＩＣカードや携帯電話との間の信号の送受信を制御するとともに自動販売機の制御部との間で信号の授受を行う端末制御部２２とを備えた電子決済端末装置を電子マネーと称する。電子マネー２は、アンテナ部２１から引き出された接続ケーブルの配線接続用コネクタ２１１が端末制御部２２から引き出された接続ケーブルの配線接続用コネクタ２２１と接続され、端末制御部２２から引き出された接続ケーブルの配線接続用コネクタ２２２が自動販売機の制御部から引き出された配線ケーブルの配線接続用コネクタ（不図示）に接続される。
【００２６】
前記電子マネー２の取付金具は、外扉２０の予備開口部９０に装着された目隠し部材９を組み付けた取付金具１と共通であり、取付金具１から取り外された目隠し部材９の跡に電子マネー２のアンテナ部２１が組み付けられる。このため、電子マネー２を追加装備する際には、外扉２０の予備開口部９０に装着された目隠し部材９を取付金具１とともに取り外した後、目隠し部材９を取付金具１から取り外して取付金具１の所定の収納域に収納したうえで前記取付金具１に電子マネー２を組み付けて外扉２０の予備開口部９０に追加装備されるものであり、以下にその手順に沿って電子マネー２の追加装備する作業について説明する。なお、取付金具１の構成は図１に示したものと同一であるので重複する説明は省略する。
【００２７】
先ず、モジュール化された目隠し部材９および取付金具１を外扉２０の予備開口部９０から取り外す。具体的には外扉２０の背面からねじＳ３，Ｓ４，Ｓ５を緩めて外扉２０の扉枠に固着した固定金具２０Ａとの螺合を解除して外扉２０の予備開口部９０に装着された目隠し部材９を取付金具１とともに取り外す（図１の（ｂ）（ｃ）参照）。次いで、取付金具１の連結金具１３の左右鍔部１３４，１３４形成した係合穴１３４ａ・・・に係止された目隠し部材９のフック片９３・・・を引き外して目隠し部材９を取付金具１の連結金具１３から分離させる。そして、目隠し部材９を取付金具１の下部金具１２に装着する。この場合、下部金具１２の前方から目隠し部材９のフック片９３・・・を下部金具１２の係合穴１２１ａ・・・を貫通させたうえで係止孔１２２ａ・・・に係止させる。これにより目隠し部材９が取付金具１の下部金具１２に装着される（図２の（ｂ））。この下部金具１２の基板部１２１が目隠し部材９を収納して保管する収納域を構成する。なお、目隠し部材９は下部金具１２の結合座１２４に切り起しにより形成された固定片１２４ａ（図１の（ｄ）参照）に潜り込ませるようにして収納域に収納され、前記固定片１２４ａがシール部材１０１の脱落を防止する機能を有する。
【００２８】
前述したように取付金具１から取り外された目隠し部材９の跡の領域に電子マネー２のアンテナ部２１が組み付けられる。この場合、アンテナ部２１の外形寸法が予備開口部９０よりも大きいことからアンテナ部２１は外扉２０の前方から予備開口部９０に組み付けられるので、先ず、下部金具１２の収納域に目隠し部材９を収納した取付金具１を外扉２０の背面側から予備開口部９０にねじＳ３〜Ｓ５により取付ける。前記予備開口部９０に取付金具１を取付けた状態で取付金具１の上部金具１１に結合された連結金具１３の基板部１３１の板面が予備開口部９０に臨んでいる。ここで、電子マネー２のアンテナ部２１の背面には予備開口部９０に嵌合する矩形状の台座（不図示）が突出して形成され、この台座の背面から配線接続用コネクタ２１１が接続された配線ケーブルが引き出されている。この台座は取付金具１における連結金具１３の基板部１３１に対応する大きさを有しており、前記基板部１３１の４隅に形成したねじ挿通穴１３１ａに対応して、前記台座の４隅にインサートナットが埋設されている。このように構成された電子マネー２のアンテナ部２１を外扉２０の前面側から予備開口部９０に組み付ける。この場合、アンテナ部２１の台座から引き出された配線ケーブルに接続された配線接続用コネクタ２１１を取付金具１における連結金具１３の開口１３０を通して外扉２０の背面側に引き回したうえでアンテナ部２１の台座を予備開口部９０に嵌合させる。そして、外扉２０の背面側から連結金具１３における基板部１３１のねじ挿通穴１３１ａを介してねじＳ６〜Ｓ９（図２の（ｅ）参照）をアンテナ部２１の台座に埋設されたインサートナットに螺合させて取付ける。ここで、ねじＳ６，Ｓ７を連結金具１３における基板部１３１のねじ挿通穴１３１ａを介してアンテナ部２１の台座に埋設されたインサートナットに螺合させる際、上部金具１の台座面１１４がねじＳ６，Ｓ７の取付けの邪魔になるように張り出しているが、台座面１１４にはねじ挿通溝１１４ａが逃げ溝として形成されており、このねじ挿通穴１１４ａを介してねじＳ６，Ｓ７を取付けることができる。なお、予備開口部９０に嵌合されたアンテナ部２１の台座の周縁にはシール部材（不図示）が配設されて雨水が外扉２０の内部に侵入するのを防止している。
【００２９】
次いで、外扉２０の背面側から電子マネー２の端末制御部２２を取付金具１に組み付ける。ここで、前記端末制御部２２の上下両端部には取付金具１にねじ止めするための長穴２２ａ，２２ａおよび溝２２ｂ，２２ｂが形成されている（図２の（ｅ）参照）。前記長穴２２ａ，２２ａは上部金具１１の梁部１１３におけるねじ座１１５（図１の（ｃ）参照）にタップされたねじ穴に対応して上下方向に延在して形成され、前記溝２２ｂ，２２ｂは下部金具１２の底壁１２３におけるねじ座１２３ａ（図１の（ｃ）参照）にタップされたねじ穴に対応して下方に開放して形成されている。このように構成された電子マネー２の端末制御部２２を取付金具１に組み付けるにあたり、取付金具１における下部金具１２のねじ座１２３ａにタップされたねじ穴にねじＳ１２，Ｓ１３を螺合させてねじ座１２３ａの面とねじ頭部との間に隙間を持たせて仮止めする。このように仮止めされたねじＳ１２，Ｓ１３に端末制御部２２の下端部に形成した溝２２ｂ，２２ｂを係合させた状態で端末制御部２２の上端部の固定片２２１に形成した長穴２２ａ，２２ａを介してねじＳ１０，Ｓ１１を上部金具１１のねじ座１１５にタップされたねじ穴に螺合させて締め付けた後、仮止め状態のねじＳ１２，Ｓ１３を締め付ける。この後、アンテナ部２１から引き出された接続ケーブルの配線接続用コネクタ２１１と端末制御部２２から引き出された配線ケーブルの配線接続用コネクタ２２１を相互に接続し、端末制御部２２から引き出された配線ケーブルの配線接続用コネクタ２２２を自動販売機の制御部から引き出された配線ケーブルの配線接続用コネクタ（不図示）に接続して電子マネー２の追加装備が完了する。
【００３０】
前述したとおり、取付金具１は電子マネー２を組み付けて予備開口部９０に装着することができるように構成されている。言い換えれば、取付金具１は電子マネー２を予備開口部９０に装着する取付金具を基本として構成されているものである。そして、この取付金具１を目隠し部材９を組み付けて予備開口部９０に装着する取付金具として兼用し、かつ、電子マネー２を組み付けた際のデッドスペースとなるとともに予備開口部９０から離隔した下部金具１２の基板部１２１を目隠し部材９を収納して保管する収納域として活用し、取付金具１から取り外された目隠し部材９を収納・保管するように構成したものである。
【００３１】
次に、図２とは異なるオプションユニットとしての電子マネー３を装着した自動販売機について図３を用いて説明する。なお、図３において、図１，図２に示したものと同一のものには同一の符号を付してその説明を省略する。
【００３２】
図３に示す電子マネー３が図２に示した電子マネー２と相違する点は、図２の電子マネー２がアンテナ部２１と端末制御部２２とが分離された分離方式のものであるのに対し、図３の電子マネー３がアンテナ部３１と端末制御部３２とが一体に形成された一体方式のものである点である。その他の構成、すなわち、取付金具１の構成、および取付金具１に組み付けてモジュール化された目隠し部材９を外扉２０の予備開口部９０に装着する点は図１と同一であるので重複する説明は割愛する。
【００３３】
図において、電子マネー３はアンテナ部３１と端末制御部３２とを備え、アンテナ部３１と端末制御部３２との間が四角柱状の連結部３３（図３の（ｅ）参照）により連結されて一体となっている。前記アンテナ部３１の外形寸法は予備開口部９０よりも大きく、前記端末制御部３２の横幅は予備開口部９０の横幅よりも小さく形成されている。また、前記端末制御部３２におけるアンテナ部３１側の上縁および下縁には上方向に突出する固定片３２１（図３の（ｄ）参照）および下方向に突出する固定片３２２（図３の（ｅ）参照）が形成されており、前記固定片３２１にはねじ穴がタップされる一方、固定片３２２にはねじ挿通穴が形成されている。前記連結部３３の左右側壁には外方に突出する左右一対の取付片３３１が形成されており、前記取付片３３１にはねじ穴がタップされている。前記連結部３３の取付片３３１を含む外形は予備開口部９０の開口よりも小さく形成され、かつ、連結部の厚さ（アンテナ部３１と端末制御部３２との間の寸法）は外扉２０の板厚寸法よりも大きく形成され、前記取付片３３１はアンテナ部３１の後端から外扉２０の板厚寸法よりも後方側に形成されているものである。なお、前記端末制御部３２からは配線接続用コネクタ３２０が接続された接続ケーブルが引き出されている（図３の（ｄ）（ｅ）参照）。
【００３４】
前述したようにこの実施の形態の電子マネー３はアンテナ部３１と端末制御部３２とが一体に形成されていることから取付金具１の上部金具１１と下部金具１２とが連結金具１３により一体的に結合されている状態では電子マネー３を組み付けることができない。そのため、外扉２０の予備開口部９０に装着されたモジュール化された目隠し部材９と取付金具１を取り外した後、取付金具１からの目隠し部材９の取り外しに引き続いて上部金具１１から連結金具１３を分離する。この場合、取付金具１から目隠し部材９を取り外して下部金具１２の収納域に収納する点は、図２の場合と同様であり、取付金具１の連結金具１３の左右鍔部１３４，１３４（図１の（ｄ）参照）に形成した係合穴１３４ａ・・・に係止された目隠し部材９のフック片９３・・・を引き外して目隠し部材９を連結金具１３から分離させた後、取付金具１の下部金具１２の前方から取り外した目隠し部材９のフック片９３・・・を下部金具１２の係合穴１２１ａ・・・を貫通させたうえで係止孔１２２ａ・・・に係止させる。このようにして目隠し部材９を取付金具１の下部金具１２の収納域に収納する。引き続き、上部金具１１から連結金具１３を分離させる。この場合、図１の（ｄ）などが理解できるように、連結金具１３の上部鍔部１３２と上部金具１１の扉枠固定座１１６とを結合しているねじＳ１を外して両者の連結を解除する。これにより上部金具１１から連結金具１３（および下部金具１２）が取り外される。そして、連結金具１３の下部鍔部１３３と下部金具１２の結合座１２４とを結合するねじＳ２を外して両者を分離する。次いで、連結金具１３を、鉛直線を軸として１８０度回転させて下部金具１２に収納された目隠し部材９に重ね合わせた後、ねじＳ１４を連結金具１３の上部鍔部１３２のねじ挿通穴を介して下部金具１２の結合座１２４に切り起しにより形成された固定片１２４ａのねじ穴に螺合させる。これにより、下部金具１２には取り外された目隠し部材９と連結金具１３が収納される。
【００３５】
次に、目隠し部材９が取り外された外扉２０の予備開口部９０に電子マネー３を組み付ける。この電子マネー３の外扉２０の予備開口部９０への組み付けは外扉２０の前方側から端末制御部３２を、予備開口部９０を介して背面側に通すことにより行われる。この場合、電子マネー３が前傾するように傾斜させた姿勢で端末制御部３２の下端を予備開口部９０に臨ませるとともに端末制御部３２の背面を予備開口部９０の上縁に触れた状態から電子マネー３を前傾姿勢の傾斜に沿って斜め下方にスライドさせる。これにより端末制御部３２が下端側から予備開口部９０を介して外扉２０の背面側に進入し、端末制御部３２の上端が予備開口部９０の上縁を通過した状態で電子マネー３を前傾姿勢から鉛直線に沿う姿勢に戻すと端末制御部３２の全体が予備開口部９０を通過して外扉２０の背面側に進入する。
【００３６】
電子マネー３の端末制御部３２を、予備開口部９０を通過させて外扉２０の背面側に進入させた状態で取付金具１の上部金具１１を取付ける。この場合、取付金具１１は端末制御部３２の上方位置であって、その扉固定座１１６の前面を外扉２０の背面に当接させるとともに取付金具１１の左右の門柱１１１が電子マネー３の連結部３３の外側にそれぞれ位置するように配置した状態で下方にスライド移動させる。そして、上部金具１１の左右の門柱１１１の下端に形成された受け座１１２，１１２の前面側に電子マネー３の連結部３３に形成された左右一対の取付片３３１，３３１が配置され、また、上部金具１１の梁部１１３に形成された台座面１１４の前面側に電子マネー３の端末制御部３２の上縁に形成した上方に延在する固定片３２１が配置されるように整合させた状態で、上部金具１１の扉固定座１１６に形成したねじ挿通穴を介してねじＳ３を外扉２０の扉枠に固着した固定金具２０Ａ（図３の（ａ）参照）に螺着して上部金具１１を外扉２０に取付ける。この状態で上部金具１１の左右の台座面１１４の下縁に形成したねじの挿通溝１１４ｂ，１１４ｂ（図１（ｃ）参照）を介してねじＳ１５，Ｓ１５を端末制御部３２の上縁に形成した上方向に突出する固定片３２１にタップしたねじ穴に螺着させるとともに上部金具１１の左右の門柱１１１の下端に形成された受け座１１２，１１２を介してねじＳ１６を電子マネー３における連結部３３に形成された左右一対の取付片３３１のねじ穴に螺着させる。これにより、上部金具１１に電子マネー３が組み付けられてアンテナ部３１が予備開口部９０から前方に露出した状態で装着される。
【００３７】
次いで、目隠し部材９および連結金具１３が収納された下部金具１２を、目隠し部材９および連結金具１３が前方側に位置するとともに下部金具１２が後方側に位置する態様で端末制御部３２の下方から外扉２０の背面と端末制御部３２との間に挿入させる。そして、端末制御部３２の下縁から下方に突出するように形成された固定片３２２のねじ挿通穴を介してねじＳ１７を下部金具１２の基板部１２１にタップされたねじ穴に螺着させる。これにより目隠し部材９および連結金具１３が収納された下部金具１２が電子マネー３に一体的に保管される。
【００３８】
この図３における取付金具１も電子マネー３を予備開口部９０に装着する取付金具を基本として構成されているものである。そして、この取付金具１を、目隠し部材９を組み付けて予備開口部９０に装着する取付金具として兼用し、かつ、電子マネー３を組み付けた際にデッドスペースとなるとともに予備開口部９０から離隔した下部金具１２の基板部１２１を目隠し部材９を収納して保管するように構成したものである。
【００３９】
（実施の形態２）
本発明の実施の形態２に係る自動販売機について図４を用いて説明する。なお、図４において、図１に示したものと同一のものには同一の符号を付してその説明を省略する。
【００４０】
図４に示す実施の形態２の自動販売機が、実施の形態１の自動販売機と相違する点は、電子マネー２，３の取付金具１への組み付けに用いるねじを目隠し部材９Ａの取付金具１Ａへの組み付けに兼用可能とし、このために目隠し部材９Ａの構成を変更した点である。前記目隠し部材９Ａを取付金具１Ａに組み付ける構成以外の点は実施の形態１と同一であるので重複する説明は割愛する。
【００４１】
図４に示すように、この実施の形態２における目隠し部材９Ａは、予備開口部９０の開口に一致する矩形形状の露出部９１Ａと、この露出部９１Ａの周縁に形成された鍔部９２Ａと、当該鍔部９２Ａの左右両縁から後方に向けて延在する上下一対のフック片９３Ａを備えている点は実施の形態１の目隠し部材９と同一であり、前記鍔部９２Ａにおける上下の縁から上下方向に向けて延在する左右一対の取付片９４，９４、９５，９５を設け、前記左右一対の取付片９４，９４、９５，９５にそれぞれ２個のねじ挿通穴を形成した点が異なる。また、取付金具１Ａの上部金具１１Ａの梁部１１３Ａにおける扉枠固定座１１６Ａには左右方向に４個のねじ穴１１６ａ・・・がタップされ、下部金具１２Ａの結合座１２４Ａにも左右４個のねじ穴１２４ａ・・・がタップされている。なお、連結金具１３Ａは上部鍔部１３２Ａおよび下部鍔部１３３Ａが目隠し部材９Ａの上部の取付片９４，９４および下部の取付片９５，９５の間に配置されるように狭幅に形成されている。
【００４２】
前記目隠し部材９Ａの取付金具１Ａへの組み付けは次のとおりである。すなわち、前記目隠し部材９Ａを、露出部９１Ａを連結金具１３Ａの基板部１３１Ａに被せつつ、フック片９３Ａ・・・を連結金具１３Ａの左右鍔部１３４Ａ，１３４Ａの係合穴１３４ａ，１３４ａに差し込んで係止させる。このようにして目隠し部材９Ａが連結された連結金具１３Ａを上部金具１１Ａの門柱１１１Ａ，１１１Ａの間に配設しつつ、連結金具１３Ａの上部鍔部１３２Ａおよび目隠し部材９Ａの上部の取付片９４，９４を上部金具１１の扉枠固定座１１６Ａの背面側に潜り込ませる。この状態で、ねじＳ１を連結金具１３Ａの上部鍔部１３２Ａのねじ挿通穴を介して扉枠固定座１１６Ａにタップされたねじ穴に螺着させるととともにねじＳ６〜Ｓ９を目隠し部材９Ａにおける上部の取付片９４，９４のねじ挿通穴を介して扉枠固定座１１６Ａのねじ穴１１６ａ・・・に螺着させる。次いで、前記連結金具１３Ａの下部鍔部１３３Ａおよび目隠し部材９Ａの下部の取付片９５，９５の前面側に下部金具１２Ａの結合座１２４Ａを配設したうえでねじＳ２を連結金具１３Ａの下部鍔部１３３Ａのねじ挿通穴を介して下部金具１２Ａの結合座１２４Ａにタップされたねじ穴に螺着させるとともにねじＳ１０〜Ｓ１３を目隠し部材９Ａにおける下部の取付片９５，９５のねじ挿通穴を介して結合座１２４Ａのねじ穴１２４ａ・・・に螺着させる。これにより目隠し部材９Ａが取付金具１Ａに組み付けられてモジュール化される。
【００４３】
前記目隠し部材９Ａの下部金具１２Ａの収納域への収納は、ねじＳ１およびねじＳ６〜Ｓ９を外して上部金具１１Ａから連結金具１３Ａと目隠し部材９Ａを切り離した後、ねじＳ１０〜Ｓ１３を外して目隠し部材９Ａを下部金具１２Ａから切り離したうえで目隠し部材９Ａのフック片９３Ａ・・・を連結金具１３Ａの係合穴１３４ａ，１３４ａから引き外して目隠し部材９Ａを連結金具１３Ａから分離させる。そして、実施の形態１と同様に目隠し部材９Ａのフック片９３Ａ・・・を下部金具１２Ａの係合穴１２１ａ・・・を貫通させたうえで係止孔１２２ａ・・・に係止させるように構成されている。なお、下部金具１２Ａにおける結合座１２４Ａの段部には目隠し部材９Ａの上部の取付片９４，９４が貫通する挿通穴（不図示）が開口して設けられている。
【００４４】
さて、前記ねじＳ６〜Ｓ１３は前述の図２に示したところの電子マネー２を取付金具１に組み付ける際に使用されるものであって、電子マネー２を追加装備しない場合には目隠し部材９Ａの取付けに用いられる。一方、電子マネー２を追加装備する際には、取付金具１Ａから取り外された目隠し部材９Ａが、当該目隠し部材９Ａのフック片９３Ａ・・・を下部金具１２Ａの係合穴１２１ａ・・・を貫通させたうえで係止孔１２２ａ・・・に係止させることにより下部金具１２Ａの収納域に収納・保管されることにより残存するねじＳ６〜Ｓ１３を使用して、実施の形態１と同様に電子マネー２を取付金具１Ａに組み付ける。この実施の形態３の目隠し部材９Ａによれば、ねじＳ６〜Ｓ１３は目隠し部材９Ａおよび電子マネー２の取付金具１Ａへの組み付けに兼用されるので、オプションユニットとして用意される電子マネー２にねじＳ６〜Ｓ１３を同梱する必要がない。なお、図３に示した実施の形態１の電子マネー３の取付金具１への組み付けに使用されるねじＳ１５〜Ｓ１７もねじＳ６〜Ｓ１３と同一種類のものであるので、電子マネー３にもねじを同梱する必要はないものである。
【００４５】
（実施の形態３）
本発明の実施の形態３に係る自動販売機について図５を用いて説明する。なお、図５において、図１に示したものと同一のものには同一の符号を付してその説明を省略する。
【００４６】
図５に示す実施の形態３の自動販売機は図１の取付金具１の変形例を示すものであり、図１の取付金具１が上部金具１１に組み付けられた連結金具１３と下部金具１２とがねじＳ２により連結されていたのに対し、取付金具１Ｂを構成する連結金具１３Ｂと下部金具１２Ｂとをヒンジにより連結するようにしたものである。前記取付金具１Ｂの構成以外の点は図１と同一であるので重複する説明は割愛する。
【００４７】
図５に示すように、この実施の形態３における取付金具１Ｂは、連結金具１３Ｂにおける下部鍔部１３３Ｂにカール状の軸受１３３Ｂ１を形成する一方、下部金具１２Ｂにおける基板部１２１Ｂの上縁に左右一対のカール状の軸受１２１Ｂ１，１２１Ｂ１を形成し、連結金具１３Ｂの軸受１３３Ｂ１を挟むように下部金具１２Ｂの左右一対の軸受１２１Ｂ１，１２１Ｂ１を配設したうえで棒状の軸１４を挿通させて両者をヒンジ連結するように構成されてなる。
【００４８】
かかる構成において、目隠し部材９を下部金具１２Ｂの収納域に収納する際には、実施の形態１と同様に、連結金具１３Ｂに組み付けられた目隠し板９を取り外した後、当該目隠し部材９のフック片９３・・・を下部金具１２の係合穴１２１ａ・・・を貫通させたうえで係止孔１２２ａ・・・に係止させて収納・保管する（図５の（ｄ）参照）。このように取付金具１Ｂの連結金具１３Ｂから目隠し部材９を取り外して収納域に収納・保管した状態は、図２の（ｂ）に示す状態に相当するので取付金具１Ｂに電子マネー２を組み付けて追加装備することができる。また、電子マネー３を追加装備する際には、図５の（ｅ）に示すように、目隠し部材９が組み付けられた連結部材１３Ｂを上部金具１１Ｂから切り離す、すなわち、ねじＳ１を取り外して上部金具１１Ｂから連結金具１３Ｂを切り離したうえで連結金具１３Ｂを、ヒンジ（軸１４）を中心に下方に回動させて下部金具１２Ｂの収納域に収納させる。図５の（ｅ）に示す状態は図３の（ｂ）に示す状態に相当するので取付金具１Ｂに電子マネー３を追加装備することが可能となる。このように電子マネー３を追加装備する際、この実施の形態３の取付金具１Ｂによれば、実施の形態１の取付金具９のように、目隠し部材９および連結金具１３を個別に取り外して下部金具１２の収納域に収納するという作業を必要とせず、連結金具１３Ｂをヒンジを中心に回動させるという簡単な作業により目隠し部材９および連結金具１３Ｂを下部金具１２Ｂの収納域に収納することができ、かつ、連結金具１３Ｂと下部金具１２Ｂとがヒンジにより連結しているので下部金具１２Ｂの収納域に収納した連結金具１３Ｂが脱落するおそれがない。
【００４９】
（実施の形態４）
本発明の実施の形態４に係る自動販売機について図６を用いて説明する。なお、図６において、図１に示したものと同一のものには同一の符号を付してその説明を省略する。
【００５０】
図６に示す実施の形態４の自動販売機の取付金具１Ｃは、実施の形態１の自動販売機の取付金具１および目隠し部材９の変形例を示すものであり、実施の形態１の取付金具１における連結金具１３と目隠し部材９とが分離されていたのに対し、連結金具１３Ｃと目隠し部材９Ｃとを一体としたものである。前記取付金具１Ｃの構成以外の点は実施の形態１と同一であるので重複する説明は割愛する。
【００５１】
図６に示すように、この実施の形態４における取付金具１Ｃは、連結金具１３Ｃが目隠し部材９Ｃと結合部材１５により結合されて一体に構成されてなる。前記連結金具１３Ｃと目隠し部材９Ｃとの互いに離隔する端部には取付片１３Ｃ１，９Ｃ１が形成され、それぞれの取付片１３Ｃ１，９Ｃ１にはねじ挿通穴が形成されている。また、目隠し部材９Ｃと連結金具１３Ｃと結合する結合部材１５にもねじ挿通穴が形成されている。前記結合部材１５により結合された目隠し部材９Ｃと連結金具１３Ｃは、目隠し部材９Ｃおよび連結金具１３Ｃのいずれか一方の取付片９Ｃ１，１３Ｃ１を介してねじＳ１により上部金具１１に取付けられ、また、結合部１５を介してねじＳ３０により下部金具１２に取付けられるとともに下部金具１２に対してねじＳ３０を中心として回転して上下反転させることができ、下部金具１２の収納域に目隠し部材９Ｂ若しくは連結金具１３Ｃのいずれか一方を収納することができる。
【００５２】
かかる構成において、目隠し部材９Ｃの取付片９Ｃ１を上部金具１１にねじＳ１により取付けてモジュール化した状態（図６の（ａ）（ｂ））においては、目隠し部材９Ｃが外扉２０の予備開口部９０に装着される。この状態から電子マネー２を追加装備する際には、取付金具１Ｃを外扉２０から取り外した後、ねじＳ１を外して上部金具１１と、一体となった目隠し部材９Ｃおよび連結金具１３Ｃとの結合を解除し、次いで、ねじＳ３０を緩めたうえでねじＳ３０を中心に回転（図６の（ｄ））させて目隠し部材９Ｃおよび連結金具１３Ｃを上下反転させる。前記目隠し部材９Ｃおよび連結金具１３Ｃを上下反転させた状態でねじＳ３０を再び締め付けた後、連結金具１３Ｃの取付片１３Ｃ１を介してねじＳ１により上部金具１１に結合する（図６の（ｅ））。図６の（ｅ）の状態は、図２の（ｂ）の状態に相当し、これにより取付金具１Ｃに電子マネー２を組み付けて外扉２０の予備開口部９０に追加装備することが可能となる。
【００５３】
したがって、この実施の形態４の取付金具１Ｃおよび目隠し部材９Ｃによれば、電子マネー２を追加装備する際、目隠し部材９Ｃおよび連結金具１３Ｃを個別に取り外して下部金具１２の収納域に収納するという作業を必要とせず、目隠し部材９Ｃおよび連結金具１３ＣをねじＳ３０を中心に回転させて上下反転させるという簡単な作業により目隠し部材９Ｃ若しくは連結金具１３Ｃのいずれか一方を下部金具１２の収納域に収納することができ、かつ、目隠し部材９Ｃおよび連結金具１３Ｃと下部金具１２とがねじＳ３０により連結しているので下部金具１２に収納した目隠し部材９Ｃ若しくは連結金具１３Ｃが脱落するおそれがない。
【００５４】
前述したとおり本発明の自動販売機によれば、前面が開口した本体キャビネット１０と、当該本体キャビネット１０の開口を開閉する外扉２０と、前記外扉２０の前面に開口するとともにオプションユニット（電子マネー２，３）を追加装備するための予備開口部９０と、前記予備開口部９０に装着された目隠し部材９，９Ａ，９Ｃを備えた自動販売機において、前記目隠し部材９，９Ａ，９Ｃおよびオプションユニット（電子マネー２，３）に共通であって、前記目隠し部材９，９Ａ，９Ｃおよびオプションユニット（電子マネー２，３）を択一的に組み付けて予備開口部９０に装着可能な取付金具１，１Ａ，１Ｂ，１Ｃを備え、前記取付金具１，１Ａ，１Ｂ，１Ｃは前記オプションユニット（電子マネー２，３）を組み付けた際、前記予備開口部９０から離隔した位置に前記目隠し部材９，９Ａ，９Ｃを収納して保管する収納域（例えば、下部金具１２）を具備してなることにより、目隠し部材９，９Ａ，９Ｃおよびオプションユニット（電子マネー２，３）を択一的に一つの取付金具１，１Ａ，１Ｂ，１Ｃにより装着することができるので部品点数を削減してコストを抑えることができ、また、取り外した目隠し部材９，９Ａ，９Ｃを取付金具１，１Ａ，１Ｂ，１Ｃに収納して保管することができるので目隠し部材９，９Ａ，９Ｃが紛失するのを防止することができる。
【００５５】
なお、前述した実施の形態においては、オプションユニットとして電子マネーについて説明したが、電子マネーに限らず紙幣識別装置やカード識別装置などをオプションユニットとすることができるのであり、本発明は実施の形態に限定されるものではない。
【符号の説明】
【００５６】
１，１Ａ，１Ｂ，１Ｃ…取付金具、２，３…電子マネー、９，９Ａ，９Ｂ…目隠し部材、１０…本体キャビネット、１１，１１Ａ，１１Ｂ…上部金具、１２，１２Ａ，１２Ｂ…下部金具、１３，１３Ａ，１３Ｂ，１３Ｃ…連結金具、１４…軸、１５…結合部材、２０…外扉、２１，３１…アンテナ部、２２，３２…端末制御装部、３３…連結部、９０…予備開口部、９１，９１Ａ…露出部、９２，９２Ａ…鍔部、９３，９３Ａ…フック片、１１１…柱部、１１２，１１５，１２３ａ…ねじ座、１１３…梁部、１１４…台座面、１１６，１１６Ａ…扉固定座、１２１，１３１…基板部、１２２…側壁、１２３…底壁、１２４…結合座、１３２，１３２Ａ…上部鍔部、１３３，１３３Ａ…下部鍔部、１３４…左右鍔部。
【図１】
0006007582.tif 000002
【図２】
0006007582.tif 000003
【図３】
0006007582.tif 000004
【図４】
0006007582.tif 000005
【図５】
0006007582.tif 000006
【図６】
0006007582.tif 000007
【図７】
0006007582.tif 000008
【図８】
0006007582.tif 000009